【手続補正書】
【提出日】平成18年6月29日(2006.6.29)
【手続補正１】
【補正対象書類名】明細書
【補正対象項目名】特許請求の範囲
【補正方法】変更
【補正の内容】
【特許請求の範囲】
【請求項１】
複数の記録層を有するディスク状の光記録媒体に情報を記録する情報記録装置であって、
前記記録層に形成されるトラックに情報を記録する記録手段と、
少なくとも各記録層の一部を含む半径方向に分割された複数ゾーンに情報を記録すると共に、各ゾーン内で隣接する前記記録層の記録方向が互いに異なるように情報を記録するように記録手段を制御する制御手段とを有し、
前記制御手段は、前記光記録媒体における内周側の前記ゾーンから外周側の前記ゾーンの順に情報を記録するように記録手段を制御することを特徴とする情報記録装置。
【請求項２】
前記制御手段は、前記各記録層に形成されるトラックに割り当てられているアドレスの長さが、前記各ゾーン内において同一となるように前記記録手段を制御することを特徴とする請求項１に記載の情報記録装置。
【請求項３】
前記制御手段は、前記各ゾーン内における前記各記録層に形成されるトラックが、前記光記録媒体の主面に垂直な方向で一致するように前記記録手段を制御することを特徴とする請求項２に記載の情報記録装置。
【請求項４】
前記制御手段は、前記各ゾーンにおける複数の前記記録層のうち一記録層に形成されるトラックに記録される情報の記録終了位置と、当該情報に連続する情報として他方の前記記録層に形成されるトラックに記録される情報の記録開始位置とが、前記光記録媒体の主面に垂直な方向で一致することを特徴とする請求項３に記載の情報記録装置。
【請求項５】
トラック上に情報が記録される記録層を複数有するディスク状の光記録媒体に情報を記録する情報記録方法であって、
前記情報記録方法は、記録工程と、フォーカスジャンプ工程とを有し、
前記記録工程は、各記録層の一部を少なくとも含む半径方向に分割されたゾーンに属する一記録層に対して、隣接する記録層の記録方向とは異なる方向に情報を記録し、
前記フォーカスジャンプ工程は、情報を記録するためのピックアップの焦点を前記一記録層から前記隣接する記録層へ移動し、
前記記録工程と前記記録工程の間で前記フォーカスジャンプ工程を実行することによってゾーン毎に情報を記録することを特徴とする情報記録方法。
【請求項６】
前記記録工程は、前記光記録媒体における内周側の前記ゾーンから外周側の前記ゾーンの順に情報を記録することを特徴とする請求項５記載の情報記録方法。
【請求項７】
前記記録工程は、前記各記録層に形成されるトラックに割り当てられているアドレスの長さが、前記各ゾーン内において同一となるよう情報を記録することを特徴とする請求項６に記載の情報記録方法。
【請求項８】
前記記録工程は、前記各ゾーン内における前記各記録層に形成されるトラックが、前記光記録媒体の主面に垂直な方向で一致するように情報を記録することを特徴とする請求項７に記載の情報記録方法。
【請求項９】
前記記録工程は、前記各ゾーンにおける複数の前記記録層のうち一記録層に形成されるトラックに記録される情報の記録終了位置と、当該情報に連続する情報として他方の前記記録層に形成されるトラックに記録される情報の記録開始位置とが、前記光記録媒体の主面に垂直な方向で一致するように情報を記録することを特徴とする請求項８に記載の情報記録方法。
【請求項１０】
トラック上に情報が記録された記録層を複数有する光記録媒体であって、
前記情報は少なくとも各記録層の一部を含む半径方向に分割された複数ゾーンに分けて情報が記録され、
前記ゾーン内では、隣接する記録層の記録方向が互いに異なるように情報が記録されることを特徴とする光記録媒体。
【請求項１１】
前記光記録媒体はディスク形状であり、前記ゾーンは、内周側から外周側へと順に記録することを特徴とする請求項１０記載の光記録媒体。
【請求項１２】
請求項１０に記載の光記録媒体に記録された情報を再生する情報再生装置であって、
各記録層の一部を少なくとも含む半径方向に分割されたゾーン毎に前記情報を再生すると共に、前記ゾーン内で隣接する記録層では互いに異なる方向に情報を再生する再生手段と、
前記再生手段によりピックアップの焦点を一記録層から隣接する記録層へ移動させるフォーカスジャンプ手段と、
前記ゾーン内における一記録層の再生を終えた後に、当該ゾーン内の他の記録層へピックアップの焦点を移動するように前記フォーカスジャンプ手段を制御する制御手段と、
を有することを特徴とする情報再生装置。
【請求項１３】
前記各記録層に形成されるトラックに割り当てられているアドレスの長さが、前記各ゾーン内において同一である前記光記録媒体を再生することを特徴とする請求項１２に記載の情報再生装置。
【請求項１４】
前記各ゾーン内における前記各記録層に形成されるトラックが、前記光記録媒体の主面に垂直な方向で一致する前記光記録媒体を再生することを特徴とする請求項１３に記載の情報再生装置。
【請求項１５】
前記各ゾーンにおける複数の前記記録層のうち一記録層に形成されるトラックに記録される情報の記録終了位置と、当該情報に連続する情報として他方の前記記録層に形成されるトラックに記録される情報の記録開始位置とが、前記光記録媒体の主面に垂直な方向で一致する前記光記録媒体を再生することを特徴とする請求項１４に記載の情報再生装置。
【請求項１６】
請求項１０に記載の光記録媒体のトラック上に記録された情報を再生する情報再生方法であって、
前記情報再生方法は、再生工程と、フォーカスジャンプ工程とを有し、
前記再生工程は、各記録層の一部を少なくとも含む半径方向に分割されたゾーンに属する一記録層に対して、隣接する記録層の再生方向とは互いに異なる方向に情報を再生し、
前記フォーカスジャンプ工程は、情報を再生するためのピックアップの焦点を一記録層から隣接する記録層へ移動し、
前記再生工程と前記再生工程の間で前記フォーカスジャンプ工程を実行することによってゾーン毎に情報を再生することを特徴とする情報再生方法。
【請求項１７】
前記各記録層に形成されるトラックに割り当てられているアドレスの長さが、前記各ゾーン内において同一である前記光記録媒体を再生することを特徴とする請求項１６に記載の情報再生方法。
【請求項１８】
前記各ゾーン内における前記各記録層に形成されるトラックが、前記光記録媒体の主面に垂直な方向で一致する前記光記録媒体を再生することを特徴とする請求項１７に記載の情報再生方法。
【請求項１９】
前記各ゾーンにおける複数の前記記録層のうち一記録層に形成されるトラックに記録される情報の記録終了位置と、当該情報に連続する情報として他方の前記記録層に形成されるトラックに記録される情報の記録開始位置とが、前記光記録媒体の主面に垂直な方向で一致する前記光記録媒体を再生することを特徴とする請求項１８に記載の情報再生方法。
【手続補正２】
【補正対象書類名】明細書
【補正対象項目名】０００３
【補正方法】変更
【補正の内容】
【０００３】
【発明が解決しようとする課題】
しかし、上記のＤＶＤ―ＲＡＭは単独の記録層を備えるものであるため、記録容量を増加させるためには、記録層を複数設ける必要がある。かつ、再生を容易なものとすることが出来る書き込み可能な光記録媒体を提供することを目的とする。
【手続補正３】
【補正対象書類名】明細書
【補正対象項目名】０００４
【補正方法】変更
【補正の内容】
【０００４】
【課題を解決するための手段】
本発明の情報記録装置は、複数の記録層を有するディスク状の光記録媒体に情報を記録する情報記録装置であって、記録層に形成されるトラックに情報を記録する記録手段と、少なくとも各記録層の一部を含む半径方向に分割された複数ゾーンに情報を記録すると共に、各ゾーン内で隣接する記録層の記録方向が互いに異なるように情報を記録するように記録手段を制御する制御手段とを有し、制御手段は、光媒体媒体における内周側の前記ゾーンから外周側のゾーンの順に情報を記録するように記録手段を制御することを特徴とする。
【手続補正４】
【補正対象書類名】明細書
【補正対象項目名】０００５
【補正方法】変更
【補正の内容】
【０００５】
この情報記録装置によれば、ゾーン内における一記録層の記録を終えた後に、当該ゾーン内の隣接する記録層へピックアップの焦点を移動させ、更に互いに隣接する記録層の記録方向を互いに異ならせることにより、ゾーン内の複数の記録層の記録が可能となり、ピックアップを半径方向に大きく移動させる情報を記録することが出来る。
【手続補正５】
【補正対象書類名】明細書
【補正対象項目名】０００６
【補正方法】変更
【補正の内容】
【０００６】
本発明の情報記録方法は、トラック上に情報が記録される記録層を複数有するディスク状の光記録媒体に情報を記録する情報記録方法であって、情報記録方法は、記録工程と、フォーカスジャンプ工程とを有し、記録工程は、各記録層の一部を少なくとも含む半径方向に分割されたゾーンに属する一記録層に対して、隣接する記録層の記録方向とは異なる方向に情報を記録し、フォーカスジャンプ工程は、情報を記録するためのピックアップの焦点を一記録層から隣接する記録層へ移動し、記録工程と記録工程の間でフォーカスジャンプ工程を実行することによってゾーン毎に情報を記録することを特徴とする。
【手続補正６】
【補正対象書類名】明細書
【補正対象項目名】０００７
【補正方法】変更
【補正の内容】
【０００７】
この情報記録装置によれば、ゾーン内における一記録層の記録を終えた後に、当該ゾーン内の隣接する記録層へピックアップの焦点を移動させ、更に互いに隣接する記録層の記録方向を互いに異ならせることにより、ゾーン内の複数の記録層の記録が可能となり、ピックアップを半径方向に大きく移動させることなく情報の記録が可能となる。
【手続補正７】
【補正対象書類名】明細書
【補正対象項目名】０００８
【補正方法】変更
【補正の内容】
【０００８】
本発明の光記録媒体は、トラック上に情報が記録された記録層を複数有する光記録媒体であって、情報は少なくとも各記録層の一部を含む半径方向に分割された複数ゾーンに分けて情報が記録され、ゾーン内では、隣接する記録層の記録方向が互いに異なるように情報が記録されることを特徴とする。
【手続補正８】
【補正対象書類名】明細書
【補正対象項目名】０００９
【補正方法】変更
【補正の内容】
【０００９】
この光記録媒体によれば、ゾーン内における一記録層に記録された情報に引き続き、当該ゾーン内の隣接する記録層に一記録層の記録方向とは異なる方向で情報が記録されることにより、ゾーン内の複数の記録層の再生が可能となり、ピックアップを半径方向に大きく移動させることなく情報の再生が可能となる。
【手続補正９】
【補正対象書類名】明細書
【補正対象項目名】００１０
【補正方法】変更
【補正の内容】
【００１０】
本発明の情報再生装置は、上記したような光記録媒体に記録された情報を再生する情報再生装置であって、各記録層の一部を少なくとも含む半径方向に分割されたゾーン毎に情報を再生すると共に、ゾーン内で隣接する記録層では互いに異なる方向に情報を再生する再生手段と、再生手段によりピックアップの焦点を一記録層から隣接する記録層へ移動させるフォーカスジャンプ手段と、ゾーン内における一記録層の再生を終えた後に、当該ゾーン内の他の記録層へピックアップの焦点を移動するようにフォーカスジャンプ手段を制御する制御手段と、を有することを特徴とする。
【手続補正１０】
【補正対象書類名】明細書
【補正対象項目名】００１１
【補正方法】変更
【補正の内容】
【００１１】
この情報再生装置によれば、ゾーン内における一記録層の再生を終えた後に、当該ゾーン内の隣接する記録層へピックアップの焦点を移動させ、更に互いに隣接する記録層の再生方向を互いに異ならせることにより、ゾーン内の複数の記録層の再生が可能となり、ピックアップを半径方向に大きく移動させることなく情報の再生が可能となる。
【手続補正１１】
【補正対象書類名】明細書
【補正対象項目名】００１２
【補正方法】変更
【補正の内容】
【００１２】
本発明の情報再生方法は、上記したような光記録媒体のトラック上に記録された情報を再生する情報再生方法であって、情報再生方法は、再生工程と、フォーカスジャンプ工程とを有し、再生工程は、各記録層の一部を少なくとも含む半径方向に分割されたゾーンに属する一記録層に対して、隣接する記録層の再生方向とは互いに異なる方向に情報を再生し、フォーカスジャンプ工程は、情報を再生するためのピックアップの焦点を一記録層から隣接する記録層へ移動し、再生工程と再生工程の間でフォーカスジャンプ工程を実行することによってゾーン毎に情報を再生することを特徴とする。
【手続補正１２】
【補正対象書類名】明細書
【補正対象項目名】００１３
【補正方法】変更
【補正の内容】
【００１３】
この情報再生方法によれば、ゾーン内における一記録層の再生を終えた後に、当該ゾーン内の隣接する記録層へピックアップの焦点を移動させ、更に、互いに隣接する記録層の再生方向を互いに異ならせることにより、ゾーン内の複数の記録層の再生が可能となり、ピックアップを半径方向に大きく移動させることなく情報の再生が可能となる。
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】